(57)【特許請求の範囲】
【請求項１】
圧縮空気を生成する圧縮部と、
該圧縮部の下方に配置され、生成された該圧縮空気を貯留するタンクと、
該圧縮部の動作を制御し、該タンクの側部に配置される制御回路部と、
外部電源に接続されて該圧縮部を駆動する電力を供給する電源コードと、を備え、
該タンクの下部には、床面に接地する接地部が設けられ、
該制御回路部の下部には、該床面に近接する近接部が設けられ、
該近接部と該タンクとの間に該電源コードを巻き付ける巻き付け部が形成されていることを特徴とする空気圧縮機。
【請求項２】
該制御回路部の下方を覆うアンダーカバーが装着され、該近接部は該アンダーカバーに配置されていることを特徴とする請求項１に記載の空気圧縮機。
【請求項３】
該電源コードは、該制御回路部に接続されると共に、該制御回路部の側面において反タンク側かつ、該制御回路部の下部から延出されていることを特徴とする請求項１または請求項２に記載の空気圧縮機。
【請求項４】
圧縮空気を生成する圧縮部と、
該圧縮部の下方に配置され、生成された該圧縮空気を貯留するタンクと、
該圧縮部の動作を制御し、該タンクの側部に配置される制御回路部と、
該圧縮部及び該制御回路部を覆うハウジングと、
外部電源に接続されて該圧縮部を駆動する電力を供給する電源コードと、
該タンクの下部に設けられ、床面に接地する接地部と、
該制御回路部の下部に設けられ、該床面に近接する近接部と、を備え、
該近接部は、該タンクから該制御回路部に向かう方向において該タンクから最も離れた位置で下方に突出するように構成され、
該近接部と該タンクとの間には、下部溝が形成され、
該ハウジングには、該下部溝に繋がるハウジング溝が形成され、
該電源コードは、該下部溝及びハウジング溝内に巻き取られるように構成されていることを特徴とする空気圧縮機。
【発明の詳細な説明】
【技術分野】
【０００１】
本発明は、圧縮空気を動力源とする工具等に圧縮空気を供給するための空気圧縮機に関する。
【背景技術】
【０００２】
圧縮空気を動力源とするエア式の釘打ち機等に圧縮空気を供給するための空気圧縮機が知られている。空気圧縮機は、２つのタンクと、モータと、圧縮機構とを備えており、また、ハウジングがモータ及び圧縮機構を覆っている。圧縮機構は、クランク軸とシリンダとピストンとシリンダヘッドとを有している。
【０００３】
空気圧縮機においては、モータの回転を、クランク軸を介してシリンダ内のピストンの往復運動に変換し、ピストンの往復運動によって、シリンダとシリンダヘッドの間に設けられた弁座の吸気口から空気を吸入し、シリンダ内で当該空気を圧縮する。圧縮空気は弁座の排気口からパイプを通してタンク内に貯留される。
【０００４】
２つのタンクは、その軸方向が平行な位置関係で配置されており、２つのタンク間にモータの駆動を制御するための制御回路が配置されている。またモータは、２つのタンクの上方に配置されており、その出力軸がタンクの軸方向に平行な位置関係をなしている。また、モータの出力軸と同軸的且つ一体的に回転するようにファンが設けられており、ファンは、タンクの軸方向における一端近傍であって、２つのタンクの略上方に配置されている。ファンが回転することにより、２つのタンク間に空気が流れ、モータの駆動により発熱する制御回路を冷却することができるように構成されている。このような空気圧縮機は、例えば、特開２００６−１８８９５４号公報（特許文献１）に記載されている。
【先行技術文献】
【特許文献】
【０００５】
【特許文献１】特開２００６−１８８９５４号公報
【発明の概要】
【発明が解決しようとする課題】
【０００６】
空気圧縮機は作業現場において作業者が持って運搬するため、コンパクト化及び軽量化が求められている。一方で、空気圧縮機を作業現場に設置した後は、容易に転倒しないことが求められる。本発明は、コンパクト化及び軽量化が図られており、かつ転倒を防止した空気圧縮機を提供することを目的とする。
【課題を解決するための手段】
【０００７】
上記課題を解決するために本発明は、圧縮空気を生成する圧縮部と、該圧縮部の下方に配置され、生成された該圧縮空気を貯留するタンクと、該圧縮部の動作を制御し、該タンクの側部に配置される制御回路部と、外部電源に接続されて該圧縮部を駆動する電力を供給する電源コードと、を備え、該タンクの下部には、床面に接地する接地部が設けられ、該制御回路部の下部には、該床面に近接する近接部が設けられている空気圧縮機を提供する。
【０００８】
このような構成によると、空気圧縮機が制御回路部側に転倒しようとしても、近接部が床面に当接して転倒を防止することができる。
【０００９】
上記構成の空気圧縮機において、該制御回路部の下方を覆うアンダーカバーが装着され、該近接部は該アンダーカバーに配置されていることが好ましい。
【００１０】
このような構成によると、既存の構成であるアンダーカバーに近接部を設けるため、構成部品の増加を招くこと無く、近接部を設けることができる。
【００１１】
また該電源コードは、該制御回路部に接続されると共に、該制御回路部の側面において反タンク側かつ、該制御回路部の下部から延出されていることが好ましい。
【００１２】
このような構成によると、電源コードが引っ張られたとしても、空気圧縮機に制御回路部側へと転倒するような力が加えられ難くなり、空気圧縮機の転倒を防止できる。
【００１３】
また該近接部と該タンクとの間に該電源コードを巻き付ける巻き付け部が形成されていることが好ましい。
【００１４】
また該圧縮部及び該制御回路部を覆うハウジングを更に有し、該近接部は、該タンクから該制御回路部に向かう方向において該タンクから最も離れた位置で下方に突出するように構成され、該近接部と該タンクとの間には、下部溝が形成され、該ハウジングには、該下部溝に繋がるハウジング溝が形成され、該電源コードは、該下部溝及びハウジング溝内に巻き取られるように構成されていることが好ましい。
【００１５】
このような構成によると、近接部を用いて電源コードを好適に巻き取ることができる。
【発明の効果】
【００１６】
本発明の空気圧縮機によれば、コンパクト化及び軽量化が図られており、かつ転倒を防止した空気圧縮機を提供することができる。
【図面の簡単な説明】
【００１７】
【図１】本発明の実施の形態にかかる空気圧縮機の平面図（ハウジング透過）。
【図２】本発明の実施の形態にかかる空気圧縮機の左側面図（ハウジング透過）。
【図３】本発明の実施の形態にかかる空気圧縮機の正面図（ハウジング透過）。
【図４】本発明の実施の形態にかかる空気圧縮機においてタンク部の平面図。
【図５】本発明の実施の形態にかかる空気圧縮機の右側面図。
【図６】本発明の実施の形態にかかる空気圧縮機が右側に傾いた状態の正面図。
【図７】本発明の実施の形態にかかる空気圧縮機の正面図（電源コードが巻回された状態）。
【発明を実施するための形態】
【００１８】
以下、本発明の実施の形態に係る空気圧縮機を図１乃至図７に基づき説明する。図１に示される空気圧縮機１は、エア式の釘打ち機等の工具へ圧縮空気を供給するハンディタイプの空気圧縮機であり、図１に示されるように、タンク部２と、駆動部３と、圧縮空気生成部４と、制御回路部７とハウジング８とから主に構成されている。駆動部３と圧縮空気生成部４とから圧縮部が構成される。
【００１９】
タンク部２は、図１に示されるように第一タンク２１、第二タンク２２から主に構成されており、圧縮空気生成部４から供給される圧縮空気を最高圧力４．２ＭＰａ程度で貯留している。第一タンク２１、第二タンク２２は、それぞれ同形状であって両端部が閉塞された略円筒形状をなしており、図３に示されるように、その円筒の軸心が平行になるように並列配置され、軸方向一端側と他端側とにおいてそれぞれフレーム２３Ａ、２３Ａで連結されていると共に、図示せぬ連結管により内部が連通している。以下の説明においては、円筒の軸方向を空気圧縮機１の前後方向とし、この前後方向と直交する方向であって第一タンク２１、第二タンク２２が並ぶ方向を左右方向とする。また前後方向及び左右方向と直交する方向を上下方向とする。タンク部２は、上下方向において空気圧縮機１の最下部に位置している。
【００２０】
図１及び図３に示されるように、第一タンク２１の下側の左側端部において前端及び後端には、それぞれ防振支持用ゴム足２１Ａ、２１Ａが設けられ、第二タンク２２の下側の右側端部であって前端及び後端にはそれぞれ防振支持用ゴム足２２Ａ、２２Ａが設けられており、これら防振支持用ゴム足２１Ａ、２２Ａが床面に載置される接地部となる。
【００２１】
図３に示されるように、第二タンク２２の右側部からは制御回路部７を覆う樹脂製のアンダーカバー２４が右側に向けて延出されており、アンダーカバー２４は、制御回路部７の下方を覆っている。制御回路部７をタンクの側面に配置することで、タンク間に広いスペースを設ける必要がなく、空気圧縮機をコンパクトな構造とすることができる。一方、制御回路部がタンクの側面に設けられることにより、空気圧縮機の重心はタンク部２上において制御回路部側に位置している。図３及び図５に示されるように、アンダーカバー２４において、最も右側かつ前端側及び後端側に、それぞれ突起部２４Ａ、２４Ａが設けられている。突起部２４Ａは、アンダーカバー２４の一部が押し出されて成型されており、下方に向けて突出するように構成されている。
【００２２】
突起部２４Ａの突出量は、図５に示されるように、突起部２４Ａの下端がタンク部２の下端と略同一になるように構成されている。この突出量は、空気圧縮機１が、防振支持用ゴム足２１Ａ、２２Ａにより平らな床面上に載置された状態から、防振支持用ゴム足２１Ａ、２１Ａが浮くと共に防振支持用ゴム足２２Ａ、２２Ａのみを支点として右側に傾いたときに、前後方向と直交する仮想平面において、空気圧縮機１の重心が防振支持用ゴム足２２Ａ、２２Ａより左側に位置している状態で突起部２４Ａが床面と当接するように規定されている。即ち、図６に示されるように、防振支持用ゴム足２２Ａ、２２Ａと突起部２４Ａとが床面に当接した状態で、空気圧縮機１の重心は、防振支持用ゴム足２２Ａ、２２Ａの上方かつ左側に位置するように突起部２４Ａの突出量が規定されている。また図３、図５に示されるように突起部２４Ａは、その先端（下端）部分における角部がすべてＲ加工されている。
【００２３】
また図３に示されるように、アンダーカバー２４の下方であって突起部２４Ａと第二タンク２２との間には、巻き付け部である下部溝２４ａが規定されている。
【００２４】
タンク部２において、第一タンク２１には、図２に示されるように、高圧側と低圧側とに対応した圧縮空気取り出し口であるカプラ２５Ａ、２５Ｂが設けられており、これらカプラ２５Ａ、２５Ｂにはホースを介して釘打機等の圧縮空気を動力として駆動される工具が接続される。カプラ２５Ａ、２５Ｂの第一タンク２１側には圧力調節用のハンドルを備えた減圧弁２６Ａ、２６Ｂがそれぞれ設けられている。減圧弁２６Ａ、２６Ｂにより、カプラ２５Ａ、２５Ｂから吐出される圧縮空気の圧力が、上記最高圧力以下となる。カプラ２５Ａ、２５Ｂと、減圧弁２６Ａ、２６Ｂとの間には、ソケットホルダ２６Ｃ、２６Ｄが介在している。ソケットホルダ２６Ｃ、２６Ｄにそれぞれ圧力計２７Ａ、２７Ｂが設けられており、カプラ２５Ａ、２５Ｂから吐出される圧縮空気の圧力をモニタしている。また第一タンク２１には、後述の二段目圧縮部６Ｂに接続されて二段目圧縮部６Ｂから第一タンク２１へと圧縮空気が送気される二段目吐出管２１Ｂ（図１）が接続されている。また第一タンク２１には、内部圧力が異常に高くなった場合に圧縮空気を大気中に吐出する安全弁２１Ｄが設けられている。
【００２５】
図３に示されるように、第二タンク２２の上方には、タンク部２内部に溜まったドレン、圧縮空気をタンク部２外部へ排出するためのドレン排出装置２２Ｃが設けられている。ドレン排出装置２２Ｃにはドレン排出装置２２Ｃ内の流路を開閉するドレンコック２２Ｄが設けられている。また第二タンク２２の下方かつ右側には、ドレン排出装置２２Ｃ内部の流路を経由してドレン、圧縮空気をタンク部２外に排出するドレン排出口２２Ｅが設けられている。
【００２６】
また図４に示されるように、第一タンク２１と第二タンク２２との間であって、前後方向略中央位置には、第一タンク２１と第二タンク２２とを跨ぎ、駆動部３及び圧縮空気生成部４が上方に載置される担持フレーム２３Ｂ、２３Ｂが設けられている。
【００２７】
駆動部３は、担持フレーム２３Ｂ、２３Ｂ上に載置されたモータであり、図１に示されるようにステータ３１と、ロータ３２と、ロータ３２と一体回転する出力軸部３３とを備えており、出力軸部３３の軸方向が左右方向と一致するようにタンク部２上であって、前後方向の略中心位置に配置されている。出力軸部３３の左側端部は、圧縮空気生成部４に係合して圧縮空気生成部４を駆動している。出力軸部３３の右側端部には、ファン３４が同軸一体回転するように装着されており、ファン３４により、駆動部３、圧縮空気生成部４、制御回路部７等を主に冷却している。またファン３４により生成される気流の一部はタンク部２表面にも流れ、タンク部２を冷却している。ファン３４がタンク側面に配置した制御回路部７の上方に位置するため、制御回路部７の冷却効率が向上するとともに、空気圧縮機をコンパクトに構成することができる。
【００２８】
圧縮空気生成部４は、担持フレーム２３Ｂ、２３Ｂ上に載置されて駆動部３に接続されるアルミ等の金属製のクランクケース４１を枠体として構成されている。クランクケース４１は前後方向に伸び内部が中空の筒状を成し、前側に一段目圧縮部６Ａが規定され、後側に二段目圧縮部６Ｂが規定されている。一段目圧縮部６Ａ及び二段目圧縮部６Ｂ内の中空部分にはそれぞれ出力軸部３３に接続される図示せぬクランク及び図示せぬクランクで駆動される図示せぬピストンが内蔵されている。
【００２９】
一段目圧縮部６Ａで大気中より空気を吸い込み、低圧の圧縮空気を生成し、その生成した圧縮空気を一段目吐出管４２を介して二段目圧縮部６Ｂに送気し、二段目圧縮部６Ｂで更に高圧の圧縮空気を生成した後に、二段目吐出管２１Ｂを介してタンク部２へと圧縮空気を送気する。
【００３０】
またクランクケース４１の上部には、前後方向に延びるハンドル６１（図２）が装着されている。
【００３１】
制御回路部７は金属製のケース内に複数の素子を内蔵して構成されており、第二タンク２２にフレームを解して装着されて第二タンク２２及び駆動部３の右側かつファン３４の下方に配置され、駆動部３のオン・オフの制御を行っている。制御回路部７からは電源コード７Ａが延出されている。電源コード７Ａは、図３及び図５に示されるように、前後方向において制御回路部７の中央位置かつ制御回路部７の下方から右側（反タンク部２側）に向けて延出されている。
【００３２】
図１に示されるように、ハウジング８は、主に駆動部３と圧縮空気生成部４と制御回路部７とを覆うようにタンク部２上に配置されており、その上面に、主電源スイッチ８１Ａ等を有する操作パネル部８１が設けられると共に、ハンドル６１をハウジング８外に露出させる図示せぬ孔が形成されている。なお図１及び図２においてハウジング８は主に二点鎖線により示されている。
【００３３】
ハウジング８において、ファン３４の流れ方向上流側に位置する右側面は、図５に示されるように、格子状に構成されて、ハウジング８内に空気を取り込めるように構成されている。また図３及び図７に示されるように、ハウジング８において、左右方向でファン３４（図１）と略同位置となる上面及び前側面、後側面に一連のハウジング溝８ａが形成されている。また図１に示されるように、ハウジング８の前後側面下端かつハウジング溝８ａ近傍には、それぞれ電源コード７Ａを保持するコード保持部８２が設けられている。
【００３４】
上述の下部溝２４ａ内及びハウジング溝８ａ内に電源コード７Ａを通してハウジング８及びアンダーカバー２４周りに電源コード７Ａを巻回し、最後に電源コード７Ａの先端をコード保持部８２で保持することにより、下部溝２４ａ及びハウジング溝８ａに電源コード７Ａを収容することができる。尚、空気圧縮機１において、電源コード７Ａを除いたタンク部２乃至ハウジング８を空気圧縮機本体１Ａと定義する。
【００３５】
上記構成の空気圧縮機１において、圧縮空気を生成するには、先ず、ハウジング８等に巻回された電源コード７Ａを解いて外部電源に接続する。その後に主電源スイッチ８１Ａをオンにして駆動部３を駆動し、一段目圧縮部６Ａ及び二段目圧縮部６Ｂを動作させて圧縮空気を生成し、タンク部２に貯留する。
【００３６】
空気圧縮機１において圧縮空気を生成している際には、電源コード７Ａがコンセント等の外部電源に接続されているため、電源コード７Ａが伸びた状態になっている。この電源コード７Ａに作業者等が引っ掛かった場合、電源コード７Ａがタンク部２等からみて右側に配置されているため、電源コード７Ａに引っ張られて空気圧縮機本体１Ａは、右側へと移動しようとする。しかし、電源コード７Ａが延出されている箇所は、空気圧縮機本体１Ａにおいて下側であるため、空気圧縮機１に右側へと転倒するような力は過度に作用せず、故に空気圧縮機本体１Ａが転倒することは防止される。
【００３７】
なお、タンク部２に溶接されたフレーム等の構造体を制御回路部の下方まで延長し、制御回路部の下方に支持部品を設ければ転倒は防止できるが、部品点数の増加を招くと共に構造が複雑になり、かつ重量も増加するという不利益がある。本発明の構造では、これらの不利益を回避しつつ、転倒を防止することができる。
【００３８】
図７に示されるように、電源コード７Ａが巻回されている状態では、電源コード７Ａが引っ張られて空気圧縮機本体１Ａが転倒することはない。この状態でも作業者等がハウジング８等に接触して、不意に空気圧縮機１を右側に傾向けた場合には転倒の恐れがある。しかし、防振支持用ゴム足２２Ａ、２２Ａのみを支点として空気圧縮機１が右側に傾いた場合は、図６に示されるように突起部２４Ａが床面と当接するため、それ以上空気圧縮機１が右側に傾くことが抑制され、転倒は防止される。
【００３９】
また突起部２４Ａは上述のようにＲ加工されているため、防振支持用ゴム足２２Ａに比べて床面に対して滑りやすくなっている。よって突起部２４Ａが床面に当接した状態から更に右側に傾むこうとしても、即ち防振支持用ゴム足２２Ａ、２２Ａが床面から離間しようとしても、突起部２４Ａが床面に対して滑るので突起部２４Ａが支点として機能せず、突起部２４Ａと共に防振支持用ゴム足２２Ａ、２２Ａが床面と当接することになり、故に空気圧縮機１が更に傾くことを抑制することができる。
【００４０】
尚、本実施の形態では、近接部を突起部２４Ａとして説明したが、これに限らず、防振支持用ゴム足２２Ａ、２２Ａより更に右側位置で、床面に近接する部材であれば、上述の突起部２４Ａ以外の部材であってもよい。
【符号の説明】
【００４１】
１：空気圧縮機  １Ａ：空気圧縮機本体  ２：タンク部  ３：駆動部
４：圧縮空気生成部  ６Ａ：一段目圧縮部  ６Ｂ：二段目圧縮部  ７：制御回路部
７Ａ：電源コード  ８：ハウジング  ８ａ：ハウジング溝  ２１：第一タンク
２１Ａ：防振支持用ゴム足  ２１Ｂ：二段目吐出管  ２１Ｄ：安全弁
２２：第二タンク  ２２Ａ：防振支持用ゴム足  ２２Ｂ：フレーム
２２Ｃ：ドレン排出装置  ２２Ｄ：ドレンコック  ２２Ｅ：ドレン排出口
２３Ａ：フレーム  ２４：アンダーカバー  ２４Ａ：突起部  ２４ａ：下部溝
２５Ａ、２５Ｂ：カプラ  ２６Ａ、２６Ｂ：減圧弁  ２６Ｃ、２６Ｄ：ソケットホルダ
２７Ａ、２７Ｂ：圧力計  ３１：ステータ  ３２：ロータ  ３３：出力軸部
３４：ファン  ４１：クランクケース  ４２：一段目吐出管  ６１：ハンドル
８１：操作パネル部  ８１Ａ：主電源スイッチ  ８２：コード保持部
【図１】
0005950247.tif 000002
【図２】
0005950247.tif 000003
【図３】
0005950247.tif 000004
【図４】
0005950247.tif 000005
【図５】
0005950247.tif 000006
【図６】
0005950247.tif 000007
【図７】
0005950247.tif 000008